(57)【要約】      （修正有）【課題】取り付け位置の固定効果のほか、締め付け速度とたやすい締め付け効果のある案内ねじの提供。【解決手段】案内ねじは主に、案内ねじの軸部から延ばしてねじ先端部を形成し、およびこのねじ先端部から外部に延ばす固定部を構成する。そのうち、ねじ先端部に少なくとも一つのらせん溝を設け、この溝とねじ先端部との隣接場所に、切込み面を形成し、切込み面と切削端との隣接する場所に、切り刃を形成して、固定部の周りに第２ねじ山段を設ける。これにより、締めつけるときは、第２ねじ山段を先に導入し、引き込み力量を形成して、本考案を素早く固定した上、切り刃と切込み面がねじ込みを助けて、省力および締め付け速度の向上効果を実現できる。【選択図】図３
0003121153.tif 000002
【実用新案登録請求の範囲】
【請求項１】
ねじ頭部を設け、ねじ頭部に設ける軸部、軸部の周りにらせん状の第１ねじ山段を設け、軸部から外部にねじ先端部を設け、ねじ先端部から外部に延ばして固定部を設けて、前記ねじ先端部に軸部の外径より大きいねじ込み体を設け、ねじ込み体に切削端を設け、切込み体に一つ以上の溝を設けて、切込み屑を排出させ、さらに、溝と切込み体との隣接場所に、切込み面を設け、この切込み面と切削端との隣接場所に切り刃を形成し、固定部は切削端から外部に延ばして円錐体を設け、およびこの円錐体の周りに第２ねじ山段を設けることを特徴とする案内ねじ。
【考案の詳細な説明】
【技術分野】
【０００１】
本考案は一種のねじ設計、特に一種の素早く固定し、締め付け速度が速いと締め付けがたやすいなどの効果を実現できる案内ねじの構造に関わる。
【背景技術】
【０００２】
図１に示すものは、公知技術のねじ１は主に、ねじ頭部１１を設け、ねじ頭部１１に設ける軸部１２、軸部１２に配置する複数らせん状のねじ山１３、および軸部１２から外部に延ばすねじ込み翼１４より構成する。そのうち、ねじ込み翼１４は軸部１２と隣り合うねじ鉄部１４１を設け、ねじ鉄部１４１に接続するテーパー面１４２、およびテーパー面１４２の外周に設ける案内ねじ山１４３を設ける。前記のねじ鉄部１４１はねじ山を設けない平坦区域１４４を設けるほか、ねじこみ翼部１４はねじ鉄部１４１とテーパー面１４２に導通する溝１４５を設けて、溝１４５の切り込み場所に切り刃１４６を設ける。
【０００３】
図２に示すものは、本考案を締め付けるとき、施工者はねじ頭部３１に回転トルクを与えて、テーパー面１４２を連動し、案内ねじ山１４３を木材２にねじ込み、案内ねじ山１４３が引き込み力量を形成して、ねじ１を木材２に素早く、かつ、安定に固定させ、切り刃１４６により、締め付け部材２は次第に孔径を拡大して行き、締め付けするとき、ねじ山１３を締め付け部材２にねじ込めるほか、省力の効果を有する。しかしながら、この公知技術のねじ１は前記の効果を有するが、本考案者は繰り返し研究した結果、公知技術のねじ１は改善の必要があることが分かり、本考案を思案した。
【考案の開示】
【考案が解決しようとする課題】
【０００４】
本考案の主な目的は、一種の案内ねじの提供に関わるもので、取り付け位置の固定効果のほか、締め付け速度とたやすい締め付け効果がある。
【０００５】
本考案の案内ねじは主にねじ頭部を設け、軸部をねじ頭部に設ける。軸部の周りに第１ねじ山段を設けるほか、外部にねじ先端部を設け、ねじ先端部から外部に延ばす固定部を設ける。前記のねじ先端部に軸部の外径より大きいねじ込み体を設け、ねじ込み体に切削端を設ける。さらに、ねじ込み体上に仕上げる溝を設け、溝とねじ込み体との隣接場所に切込み面を設け、切込み面と切削端との隣接場所に切り刃を形成する。固定部に切削端から外部に延ばす円錐体を設け、およびこの円錐体に合わせて設ける第２ねじ山段を設ける。これにより、締め付けるとき、第２ねじ山段により、引き込み力量を形成して、位置を固定しておく、さらに、切り刃と切込み面を合わせて締め付け部材を切り込むため、締め付けがたやすく、締め付け速度の向上効果を実現できる。
【課題を解決するための手段】
【０００６】
請求項１の考案は、ねじ頭部を設け、ねじ頭部に設ける軸部、軸部の周りにらせん状の第１ねじ山段を設け、軸部から外部にねじ先端部を設け、ねじ先端部から外部に延ばして固定部を設けて、前記ねじ先端部に軸部の外径より大きいねじ込み体を設け、ねじ込み体に切削端を設け、切込み体に一つ以上の溝を設けて、切込み屑を排出させ、さらに、溝と切込み体との隣接場所に、切込み面を設け、この切込み面と切削端との隣接場所に切り刃を形成し、固定部は切削端から外部に延ばして円錐体を設けて、およびこの円錐体の周りに第２ねじ山段を設けることを特徴とする案内ねじとしている。
【考案の効果】
【０００７】
本考案の案内ねじは主に、案内ねじの軸部から延ばしてねじ先端部を形成し、およびこのねじ先端部から外部に延ばす固定部を構成する。そのうち、ねじ先端部に少なくとも一つのらせん溝を設け、この溝とねじ先端部との隣接場所に、切込み面を形成し、切込み面と切削端との隣接する場所に、切り刃を形成して、固定部の周りに第２ねじ山段を設ける。これにより、締めつけるときは、第２ねじ山段を先に導入し、引き込み力量を形成して、本考案を素早く固定した上、切り刃と切込み面がねじ込みを助けて、省力および締め付け速度の向上効果を実現できる。
【考案を実施するための最良の形態】
【０００８】
図３、４に示すものは、本考案の案内ねじ３の好ましい実施例である。主にねじ頭部３１を設け、ねじ頭部３１上に設ける軸部３２。軸部３２周りの表面に第１ねじ山段３３を設けるほか軸部３２はねじ先端部３４から外部に延ばして設け、およびねじ先端部３４から外部に延ばして設ける固定部３５を設ける。前記のねじ先端部３４に軸部３２外径より大きいねじ込み体３４１を設け、ねじ込み体３４１上に切削端３４２を設け、ねじ込み体３４１上にらせん状の溝３４３を設ける。溝３４３とねじ込み体３４１との隣接場所に切削端３４４を設け、切込み面３４４は切削端３４２との隣接場所に切り刃３４５を設ける。さらに、固定部３５に切削端３４２から外部に延ばして円錐体３５０、およびこの円錐体３５０上に設ける第２ねじ山段３５１を設ける。第１ねじ山段３３より切り込んだ切り屑は、溝３４３、第２ねじ山段３５１より順調に排出される。
【０００９】
図４、５に示すとおり、ねじ先端部３４と固定部３５などの構造は数回に分けて成型できるため、加工技術レベルが低いことから、生産コストを軽減できる。案内ねじ３は締め付け作業のとき、施工者はねじ頭部に回転トルクを設定し、固定部３５により、第２ねじ山段３５１を連動して、締め付け部材４に締めつけ始めるときから速い、安定の効果を実現し、ねじ先端部３４の切削端３４２が締め付け部材４に接触したとき、切込み面３４４と切り刃３４５の二重働きにより、締め付け部材４を切り込む。前記の切込み面３４４は締め付け部材４表面に順を追って次第に切り込みの働きで、締め付け部材４の表面に下穴を切り込んで、第１ねじ山段３３はこの下穴により、締め付け部材４内部に素早く、たやすくねじ込むことができる。
【００１０】
前記の説明により、本考案と公知技術のものと比較すると、本考案は以下の長所と効果あることが分かる。
（１）素早く位置を固定、
固定部に設けるらせん状の第２ねじ山段は、案内ねじを締め付けるとき、第２ねじ山段の案内により、固定部を素早く締め付け部材に固定し、案内ねじが締め付け過程の安定性を確保できる。
（２）締め付けがたやすく、速度の向上、
切削端と締め付け部材と接触したとき、切込み面と切り刃の構造により、切り刃と切込み面は締め付け部材に対して、順を追って次第に切り込み働きを有するため、締め付け過程はよりたやすくできるほか、ねじ先端部は締め付け部材表面に下穴を切込んで、第１ねじ山段はこの下穴により、締め付け部材の内部に素早く、たやすく締めつけることができる。
（３）コストが低い、
ねじ先端部と固定部などの構造は数回に分けて成型加工できるため、公知技術の一体化加工のような精密技術を必要としない。よって、生産コストを有効に軽減できるほか、プレス工程による不良率も軽減できる。前記の説明により、本考案の第２ねじ山段は締め付けの最初から素早く位置固定の効果を実現し、ねじ先端部の切込み面、切り刃などの構造により、締め付け部材を切込んで、締め付け部材表面に下穴を切込み、第１ねじ山段はこの下穴により、素早く、たやすく締め付け部材を切込むため、位置固定が速く、締め付け速度が速い、たやすく締めつけられるなどの効果を実現できる。
【図面の簡単な説明】
【００１１】
【図１】公知技術のねじの表示図である。
【図２】公知技術の案内ねじが締め付け状態における断面表示図である。
【図３】本考案の好ましい実施例の表示図である。
【図４】本考案の好ましい実施例の局部立面表示図である。
【図５】本考案の好ましい実施例締め付け状態の局部断面表示図である。
【符号の説明】
【００１２】
２  締め付け部材
３  案内ねじ
３１  ねじ頭部
３２  軸部
３３  第１ねじ山段
３４  ねじ先端部
３４１  ねじ込み体
３４２  切削端
３４３  溝
３４４  切込み面
３４５  切り刃
３５  固定部
３５０  円錐体
３５１  第２ねじ山段
【図１】
0003121153.tif 000003
【図２】
0003121153.tif 000004
【図３】
0003121153.tif 000005
【図４】
0003121153.tif 000006
【図５】
0003121153.tif 000007